(57)【要約】      （修正有）【課題】簡易な構成で、部品を取り外しやすく、清掃もしやすい、メンテナンスに便利な排水桝を提供する。【解決手段】排水枡１０は、底部に後流側の排水管に接続するための接続部２を有する排水桝本体（本体）と、接続部に脱着可能に取り付けられる水封管３と、本体の上部に載置されるザル状の粗集かご（ザル体）８とからなり、ザル体の下部には水封管を被覆して水封構造４を構成するための被覆管７が設けられている。【選択図】図１
0003230547.tif 000002
【実用新案登録請求の範囲】
【請求項１】
水封構造を備えた排水桝であって、
底部に後流側の排水管に接続するための接続部を有する排水桝本体（以下、単に「本体」という）と、
該接続部に脱着可能に取り付けられる水封管と、
該本体の上部に載置されるザル状の粗集かご（以下「ザル体」という）とからなり、
該ザル体の下部には該水封管を被覆して水封構造を構成するための被覆管が設けられていることを特徴とする、排水桝。
【請求項２】
前記ザル体の上部には把手が備えられていることを特徴とする、請求項１に記載の排水桝。
【請求項３】
前記水封管の上部には把手が備えられていることを特徴とする、請求項１、２のいずれかに記載の排水桝。
【請求項４】
ステンレス鋼製であることを特徴とする、請求項１、２、３のいずれかに記載の排水桝。
【請求項５】
請求項１、２、３、４のいずれかに記載の排水桝を形成するための排水桝用セットであって、
前記本体、
前記接続部に脱着可能な水封管、
および前記本体の上部に載置するためのザル体からなり、
該ザル体の下部には該水封管を被覆して水封構造を構成するための被覆管が設けられていることを特徴とする、排水桝用セット。
【請求項６】
排水桝における水封構造であって、
底部に後流側の排水管に接続するための接続部を有する排水桝本体（本体）と、
該接続部に脱着可能に取り付けられる水封管と、
該本体の上部に脱着可能に配置されるザル状の粗集かご（ザル体）とからなる排水桝において、
該ザル体の下部に設けられている被覆管が該水封管を被覆することにより形成されていることを特徴とする、排水桝の水封構造。
【考案の詳細な説明】
【技術分野】
【０００１】
本考案は排水桝、排水桝用セット、および排水桝の水封構造であり、特に、メンテナンスに便利な排水枡等に関する。
【背景技術】
【０００２】
従来、排水構造・排水枡に関しては、特許出願等による複数の技術的提案がなされている。出願人関連会社も複数の登録を得ており、たとえば後掲特許文献１には、洗浄作業など保守管理が便利な上、排水枡製品が不要であり、施工が簡易で工期短縮でき、かつコスト低減も可能な水封管セットとして、第一管部材と、これに連結可能な第二管部材とからなるジョイント式の水封管セットを開示している。両管部材にはそれぞれ相互着脱可能に連結するための連結部を設け、また第一管部材には、管部周囲の竪坑底部への設置用のプレート部を設ける構成である。
【０００３】
また、他者による特許文献２には、業務用厨房や食品工場等に敷設して使用されるトラップ付き排水桝において、排水桝内の構成が単純で、かつ清掃の際に取り外し可能な排水横引管付きの浅型排水桝として、本体が上段槽と下段槽からなり、上段槽底面には下段槽へ排水を導く段部を有する開口が設けられ、開口から出し入れ可能なトラップ椀が位置決め突起により位置決めされて下段槽底部に着接され、トラップ椀内の排水を水封する排水導入管はその上端に円盤状の顎板が設けられて開口周囲の上段槽底面に掛け止め設置され、排水導入管上部外周にはその自重圧力で形状変化するるリップ構造をもつ環状パッキンが装着されて開口を密封するとともに、開口の段部に溜まる排水によって水封する構成が開示されている。
【先行技術文献】
【特許文献】
【０００４】
【特許文献１】実用新案登録第３１６９６６８号号公報「水封管セットおよび水封用構造」
【特許文献２】実用新案登録第３１９００４３号公報「排水桝」
【考案の概要】
【考案が解決しようとする課題】
【０００５】
上記文献１記載の排水枡が不要な水封管セット考案は、簡易施工、短い工期、低コストが特に要求される場合に、特に便利である。一方、排水枡の設置が要求され、前提とされることは通常であり、文献２開示技術はその分野に該当する。そして同技術は、構成の単純さと清掃の際に取り外し可能であることが謳われているが、より簡易な構成で、かつ部品を取り外しやすく、したがって清掃もしやすい排水枡が求められている。
【０００６】
そこで本考案が解決しようとする課題は、かかる従来技術を踏まえ、より簡易な構成で、かつ部品を取り外しやすく、したがって清掃もしやすい、メンテナンスに便利な排水桝、排水桝用セット等を提供することである。
【課題を解決するための手段】
【０００７】
本願考案者は上記課題について検討した。その結果、排水枡を構成する粗集かごの底部に水封形成用の構造を備え、取り外し式の水封管と併用する構成に想到し、これに基づいて本考案を完成するに至った。すなわち、上記課題を解決するための手段として本願で実用新案登録請求される考案、もしくは少なくとも開示される考案は、以下の通りである。
【０００８】
〔１〕  水封構造を備えた排水桝であって、底部に後流側の排水管に接続するための接続部を有する排水桝本体（以下「本体」という）と、該接続部に脱着可能に取り付けられる水封管と、該本体の上部に載置されるザル状の粗集かご（以下「ザル体」という）とからなり、該ザル体の下部には該水封管を被覆して水封構造を構成するための被覆管が設けられていることを特徴とする、排水桝。
〔２〕  前記ザル体の上部には把手が備えられていることを特徴とする、〔１〕に記載の排水桝。
〔３〕  前記水封管の上部には把手が備えられていることを特徴とする、〔１〕、〔２〕のいずれかに記載の排水桝。
【０００９】
〔４〕  ステンレス鋼製であることを特徴とする、〔１〕、〔２〕、〔３〕のいずれかに記載の排水桝。
〔５〕  〔１〕、〔２〕、〔３〕、〔４〕のいずれかに記載の排水桝を形成するための排水桝用セットであって、前記本体、前記接続部に脱着可能な水封管、および前記本体の上部に載置するためのザル体からなり、該ザル体の下部には該水封管を被覆して水封構造を構成するための被覆管が設けられていることを特徴とする、排水桝用セット。
〔６〕  排水桝における水封構造であって、底部に後流側の排水管に接続するための接続部を有する排水桝本体（本体）と、該接続部に脱着可能に取り付けられる水封管と、該本体の上部に脱着可能に配置されるザル状の粗集かご（ザル体）とからなる排水桝において、該ザル体の下部に設けられている被覆管が該水封管を被覆することにより形成されていることを特徴とする、排水桝の水封構造。
【考案の効果】
【００１０】
本考案の排水桝、排水桝用セット、および排水桝の水封構造は上述のように構成されるため、これによれば、従来技術よりも部品点数の少ない簡易な構成で、かつ部品を取り外しやすく、したがって清掃もしやすい、メンテナンス性に優れた製品を提供することができる。
【００１１】
上記文献２開示の排水桝は、上段槽・下段槽・トラップ椀・排水導入管・環状パッキンの５部品を要する一方、本考案排水枡等は、排水桝本体（本体）・水封管・ザル体の３部品しか構成要素がない。したがって、組み立て・施工も簡単、取り外しての清掃も容易である。
【図面の簡単な説明】
【００１２】
【図１】本考案排水桝の基本構成を概念的に示す側断面視の説明図である。
【図２】図１に示す排水桝を形成するための排水桝用セットの構成を示す説明図である。
【図２−２】図２中の水封構造の拡大図である。
【図３】本考案排水枡のザル体の斜視図である。
【図４】本考案排水枡の水封管の斜視図である。
【図５】本考案排水枡の実施例を分解した状態を示す写真図である（本体と水封管）。
【図６】本考案排水枡の実施例を分解した状態を示す写真図である（ザル体）。
【考案を実施するための形態】
【００１３】
以下、図面により本考案を詳細に説明する。
図１は、本考案排水桝の基本構成を概念的に示す側断面視の説明図である。また、
図２は図１に示す排水桝を形成するための排水桝用セットの構成を示す説明図、図２−２は図２中の水封構造の拡大図である。これらに示すように本排水枡１０は水封構造４を備えた排水桝であって、底部に後流側の排水管に接続するための接続部２を有する排水桝本体（本体）９と、接続部２に脱着可能に取り付けられる水封管３と、本体９の上部に載置されるザル状の粗集かご（ザル体）８とからなり、ザル体８の下部には水封管３を被覆して水封構造４を構成するための被覆管７が設けられていることを、主たる構成とする。なお、被覆管７と水封管３は、前者が後者を被覆して水封構造４を形成できるような形状に形成される。
【００１４】
かかる構成により本排水枡１０は、本体９が接続部２によって後流側の排水管に接続され、接続部２には水封管３が脱着可能に取り付けられ、ザル体８が本体９の上部に載置された状態で供用されるが、ザル体８の下部に設けられた被覆管７によって水封管３が被覆され、これによって水封構造４が構成された状態が形成される。この水封構造４も、本考案の範囲内である。
【００１５】
図２に示すように本排水枡１０は、排水枡用セット２０によって簡単に形成することができる。つまり、図中（ａ）に示す本体９の接続部２に図中（ｃ）に示す水封管３をその取付用構造３ｂによって取り付け、ついで図中（ｂ）に示すザル体８を本体９の上部に載置するだけでよい。これによって、被覆管７が水封管３を被覆し、水封構造４が自動的に構成され、排水枡として供用可能となる。
【００１６】
清掃などのメンテナンス時には、図１の状態からまずザル体８を取り外し、その後水封管３を接続部２から取り外すだけで、あるいは必要な場合はこれに加えて、接続部２を後流側の排水管から取り外すだけで、本排水枡１０の分解が完了し、図２に示す状態となる。各部品、すなわちザル体８ならびにその被覆管７、水封管３、本体９の清掃等のメンテナンスを行った後、排水管への接続部２取り付け、接続部２への水封管３取り付け、そしてザル体８の載置を行うのみで、排水枡１０を復元できる。
【００１７】
図２に示す排水枡用セット２０は、図１に示す排水枡１０の形成・施工のために使用することができる。また、このセットとして製造され、販売される形で供用することができる。
【００１８】
図３は、本考案排水枡のザル体の斜視図である。図示するように本排水枡１０のザル体８の上部には把手６が備えられた構成とすることができる。把手６によりザル体８は取り扱いしやすくなり、排水枡１０を形成・施工する際にも、またメンテナンス時で取り外す際にも、便利である。
【００１９】
図４は、本考案排水枡の水封管の斜視図である。図示するように本排水枡１０の水封管３の上部には把手５が備えられた構成とすることができる。把手５により水封管３は取り扱いしやすくなり、排水枡１０を形成・施工する際にも、またメンテナンス時で取り外す際にも、便利である。
【００２０】
図５、６は、本考案排水枡の実施例を分解した状態を示す写真図であり、前者は本体と水封管、後者はザル体を示す。これらに示すように本排水枡５１０は、ステンレス鋼製とすることができる。本考案排水枡の材質は特に限定されないのだが、耐食性、防錆効果、強度等を考慮すると、ステンレス鋼製とすることが最も望ましい。
【産業上の利用可能性】
【００２１】
本考案の排水桝、排水桝用セット、および排水桝の水封構造によれば、簡易な構成で、かつ部品を取り外しやすく、したがって清掃もしやすい、メンテナンス性に優れた製品を提供することができる。したがって、食品加工場、魚市場、食肉加工市場、その他の衛生管理・異臭対策が要求される施設に設備される排水構造などの排水設備製造・施工分野、および関連する全分野において、産業上利用性が高い考案である。
【符号の説明】
【００２２】
２、５２…接続部
３、５３…水封管
３ｂ、５３ｂ…取付用構造
４…水封構造
５、５５…把手（水封管の）
６…把手（ザル体の）
７、５７…被覆管
８、５８…粗集かご（ザル体）
９、５９…排水桝本体（本体）
１０、５１０…排水枡
２０…排水枡用セット
【図１】
0003230547.tif 000003
【図２】
0003230547.tif 000004
【図２−２】
0003230547.tif 000005
【図３】
0003230547.tif 000006
【図４】
0003230547.tif 000007
【図５】
0003230547.tif 000008
【図６】
0003230547.tif 000009